(57)【要約】【課題】  通気孔にホコリが溜まったり、ゴミが詰まったりするようなことはなく、また通気孔の径を大きくしなくても、通気性が常に保たれる履物を提供する。【解決手段】  上層体１１、下層体１２および中間層体１３からなる底部１において、上層体１１と下層体１２の前部から後部にかけて、その対向する位置にそれぞれ複数個の通気孔３、４を形成し、中間層体１３の後部にこれら通気孔３、４のうち後部側の通気孔３、４に対向する開口５を形成し、この開口５から前部にかけて中央スリット６を形成すると共にこの中央スリット６から枝分かれする複数の分岐スリット７を前記通気孔３、４に対向する位置に形成し、これら分岐スリット７により前記通気孔３、４を連通するようにしている。【選択図面】    図２
2005245472.tif 000002
【特許請求の範囲】
【請求項１】
上層体（１１）、下層体（１２）および中間層体（１３）からなる底部（１）において、上層体（１１）と下層体（１２）の前部から後部にかけて、その対向する位置にそれぞれ複数個の通気孔（３、４）を形成し、中間層体（１３）の後部にこれら通気孔（３、４）のうち後部側の通気孔（３、４）に対向する開口（５）を形成し、この開口（５）から前部にかけて中央スリット（６）を形成すると共にこの中央スリット（６）から枝分かれする複数の分岐スリット（７）を前記通気孔（３、４）に対向する位置に形成し、これら分岐スリット（７）により前記通気孔（３、４）を連通するようにしたことを特徴とする履物。
【請求項２】
前記底部（１）の後部において、略馬蹄形状とした踵形成体（１４）を、下層体（１２）の後部に形成した通気孔（４）と、中間層体（１３）の後部に形成した開口（５）を塞がないようにして、これら下層体（１２）と中間層体（１３）の間に挟んだものとしたことを特徴とする請求項１記載の履物。
【請求項３】
前記底部（１）の上面を、通気性を有するカバー体（８）で覆ったものとしたことを特徴とする請求項１または２記載の履物。
【発明の詳細な説明】
【技術分野】
【０００１】
この発明は、スリッパ、サンダルなどの履物に関し、特に室内で使用するのに適した履物に関するものである。
【背景技術】
【０００２】
従来、この種の履物としては、例えば図４に示したように、履物本体の底部２１に多数の通気孔２２、２２、…を散在して設け、各通気孔２２は底部２１の上下面を貫通して設けたものが存在した（特許文献１）。
【０００３】
このように構成される履物は、通気性に優れており、使用に際して汗をかきやすい部位、すなわち足裏の所々が、通気孔２２内の新鮮な外気に常時触れるため、足裏の蒸れが解消され、履き心地が格段に向上するという効果を有するものとなっている。
【特許文献１】特開平１０−３２７９０２号公報（第２頁、図１）
【発明の開示】
【発明が解決しようとする課題】
【０００４】
しかしながら、上記従来の履物では、長期間使用しているうちに、通気孔２２にホコリが溜まったり、ゴミが詰まって、通気孔２２の役目が果たせなくなるという問題点を有していた。
【０００５】
また、上記従来の履物では、通気孔２２にホコリが溜まったり、ゴミが詰まったりしないように、通気孔２２の径をある程度大きくしていたが、大きすぎると使用者の足裏の一部が嵌まり込んで使用感が損なわれるという問題点を有していた。
【０００６】
さらに、上記従来の履物では、通気孔２２の径を大きくすると、ホコリやゴミがその通気孔２２を通って、履物の表側に出てきてしまい、履物そのものを汚したり、使用者の足裏を汚してしまうという問題点を有していた。
【０００７】
そこで、この発明は、上記従来の問題点を解決することをその課題としており、通気孔にホコリが溜まったり、ゴミが詰まったりするようなことはなく、また通気孔の径を大きくしなくても、通気性が常に保たれる履物を提供することを目的としてなされたものである。
【課題を解決するための手段】
【０００８】
そのため、この発明の履物は、上層体１１、下層体１２および中間層体１３からなる底部１において、上層体１１と下層体１２の前部から後部にかけて、その対向する位置にそれぞれ複数個の通気孔３、４を形成し、中間層体１３の後部にこれら通気孔３、４のうち後部側の通気孔３、４に対向する開口５を形成し、この開口５から前部にかけて中央スリット６を形成すると共にこの中央スリット６から枝分かれする複数の分岐スリット７を前記通気孔３、４に対向する位置に形成し、これら分岐スリット７により前記通気孔３、４を連通するようにしている。
【０００９】
さらに、この発明の履物は、前記底部１の後部において、略馬蹄形状とした踵形成体１４を、下層体１２の後部に形成した通気孔４と、中間層体１３の後部に形成した開口５を塞がないようにして、これら下層体１２と中間層体１３の間に挟んだものとしている。
【００１０】
また、この発明の履物は、前記底部１の上面を、通気性を有するカバー体８で覆ったものとしている。
【発明の効果】
【００１１】
この発明の履物は、以上に述べたように構成されているので、通気孔にホコリが溜まったり、ゴミが詰まったりするようなことはなく、通気性が常に保たれ、足裏の蒸れが解消される。
【００１２】
さらに、この発明の履物は、通気孔の径を大きくしなくてもよいので、使用感が損なわれることなく、しかも履物そのものを汚したり、使用者の足裏を汚してしまうことがないものとなる。
【発明を実施するための最良の形態】
【００１３】
以下、この発明の履物を実施するための最良の形態について、図面に基づき詳細に説明する。
【００１４】
図はこの発明の履物をスリッパに実施した形態を示しており、図１はそのスリッパの斜視図を示し、図２はそのスリッパの底部の分解斜視図を示し、図３はそのスリッパの中央断面図を示している。
【００１５】
図において、１はスリッパとしたこの発明の履物の底部であり、２はその履物の突っかけ部である。
【００１６】
底部１は、上層体１１、下層体１２、中間層体１３および踵形成体１４からなり、下層体１２の上面後部に踵形成体１４を載せて接着し、この下層体１２と前記上層体１１の間に中間層体１３を挟み込むようにして、これらを重ね合わせている。さらに、底部１の上面は、通気性を有するカバー体８で覆われている。すなわち、カバー体８を上層体１１の上面に被せ、このカバー体８の周端部を縁生地９で底部１の周縁に接着または縫着することにより、底部１の上面をカバー体８で覆うようにしている。
【００１７】
前記底部１を構成する上層体１１、下層体１２、中間層体１３および踵形成体１４は、何れも例えばエチレン酢酸ビニル共重合樹脂（ＥＶＡ）などの柔軟性に富んだ合成樹脂からなるものとしているが、踵形成体１４は柔軟性に富むと共にへたりにくい合成樹脂からなるものとするのが好ましい。なお、前記底部１は、必要により、この踵形成体１４を省略して、上層体１１、下層体１２および中間層体１３からなるものとしてもよい。
【００１８】
前記底部１は、上層体１１と下層体１２の前部から後部にかけて、その対向する位置にそれぞれ複数個の通気孔３、４を形成している。さらに、中間層体１３の後部にこれら通気孔３、４のうち後部側の通気孔３、４に対向する開口５を形成し、この開口５から前部にかけて中央スリット６を形成すると共にこの中央スリット６から枝分かれする複数の分岐スリット７を前記通気孔３、４に対向する位置に形成している。そして、これら分岐スリット７により前記通気孔３、４を連通するようにしている。なお、踵形成体１４は、略馬蹄形状とし、下層体１２の後部に形成した通気孔４と、中間層体１３の後部に形成した開口５を塞がないようにして、これら下層体１２と中間層体１３の間に挟まれたものとしている。
【００１９】
前記通気孔３、４の径は、底部１を形成する素材の強度性、耐久性などを考慮して、２〜１０ｍｍ程度としている。これは、前記通気孔３、４の径を２ｍｍ以下にすると通気性が悪くなると共に、ホコリが溜まり易いものとなったり、ゴミが詰まり易いものとなり、１０ｍｍ以上にすると強度性、耐久性に劣るものとなるからである。また、通気孔３の径と通気孔４の径は、同径としてもよいが、異径としてもよい。さらに、前記分岐スリット７の幅は、通気孔３、４の径と同程度または少し大きめの寸法としている。なお、前記通気孔３、４の径や分岐スリット７の幅は、前記した寸法に限定されるものではない。
【００２０】
前記カバー体８は、織物地、不織布、メッシュシートなど、通気性を有するものであれば特に素材が限定されることはないが、図に示したような立体メッシュシートとすれば、使用者の足裏との接触面積が小さくなり、より一層、通気性に優れたものとなる。
【００２１】
さらに、前記突っかけ部２は、上面を適宜の表生地で覆われたものとしており、底部１の前部において、アーチ状に跨ぐようにしてその両側縁に縁生地９と共に縫着したものとしている。なお、図示した突っかけ部２は、先端部を開放したものとしているが、先端部を閉鎖したものとしてもよい。
【００２２】
以上のように構成したこの発明の履物は、使用者が履いて歩行すると、足を地につけたときは、足裏によってカバー体８が踏みつけられて底部１が収縮し、上層体１１の通気孔３から中間層体１３の開口５、中央スリット６および分岐スリット７に空気が送入され、足を上げた瞬間に底部１が収縮した状態から元の状態に戻り、下層体１２の通気孔４から空気が送出される。使用者の歩行中はこの繰り返しにより、底部１の内部空間（通気孔３、４、開口５、中央スリット６および分岐スリット７）に空気が送入されたり、送出されたりすることになる。
【００２３】
この場合使用者は、足裏によってカバー体８の全面を踏みつけなくても、一部を踏みつければ、その踏みつけた位置の下方の上層体１１の一部の通気孔３から中間層体１３の開口５、中央スリット６および分岐スリット７に空気が送入され、下層体１２の全部の通気孔３から空気が送出される。さらに、この場合、底部１の踵形成体１４を省略していないものでは、足裏によってカバー体８の後部を踏みつけることにより、この踵形成体１４が変形して底部１が大きく収縮するので、空気が送入される量は多くなり、また空気が送出される量も多くなる。したがって、この発明の履物における底部１の内部空間での空気の循環は効果的に行われるものとなる。また、この発明の履物では、底部１の下層体１２の全部の通気孔３から空気が送出されるので、ホコリが溜まったり、ゴミが詰まったりするようなことはない。
【００２４】
なお、図示したものは、スリッパについての実施形態であるが、この発明の履物は、スリッパ以外にも、サンダル、靴、その他各種の履物に実施できるのは言うまでもない。また、この発明の履物は、屋内用の履物に実施するのが好ましいが、屋外用の履物にも実施することができる。
【図面の簡単な説明】
【００２５】
【図１】この発明の履物の一実施形態を示す全体斜視図である。
【図２】図１に示すこの発明の履物の底部の分解斜視図である。
【図３】図１に示すこの発明の履物の中央断面図である。
【図４】従来の履物の一部切欠斜視図である。
【符号の説明】
【００２６】
１  底部
３  通気孔
４  通気孔
５  開口
６  中央スリット
７  分岐スリット
８  カバー体
１１  上層体
１２  下層体
１３  中間層体
１４  踵形成体
【図１】
2005245472.tif 000003
【図２】
2005245472.tif 000004
【図３】
2005245472.tif 000005
【図４】
2005245472.tif 000006